(57)【特許請求の範囲】
【請求項１】
２個以上の光コンセントを備えた住宅ユニットを２個以上組み合わせて構成されるユニット住宅において、前記ユニット住宅の外部から引き込まれる光ファイバーケーブルを中継して、前記光コンセントに分岐敷設する光ファイバーケーブル敷設方法であって、
生産工場において、
前記住宅ユニットの壁面の所定場所に光コンセントの取付用穴を開けると共に、分岐ボックスを前記住宅ユニットの天井に取付ける工程と、
副光ファイバーケーブルを、前記住宅ユニットに取付けられている電源コンセントに敷設される電源ケーブルに併設して前記住宅ユニットに敷設する工程と、
前記副光ファイバーケーブルの一方の光コネクタを前記分岐ボックスに接続し、他方の光コネクタを前記光コンセントに接続する工程と、
接続した前記光コンセントを前記住宅ユニットの壁面に設けた前記取付用穴に取付ける工程と、を実施し、
建設場所において、
前記２個以上の住宅ユニットを結合させてユニット住宅を組み立てる工程と、
前記住宅ユニットの数に対応した本数の主光ファイバーケーブルのそれぞれの一方の光コネクタを、各住宅ユニットに備えられている前記分岐ボックスにそれぞれ接続すると共に、各住宅ユニットに架け渡して敷設する工程と、
前記複数本の主光ファイバーケーブルのそれぞれの他方の光コネクタを、情報分電盤接続用の複数個の光コンセントのそれぞれに接続する工程と、
前記複数個の光コンセントを１個の住宅ユニットの壁面に取付ける工程と、
前記複数個の光コンセントの近傍に情報分電盤を取付ける工程と、
前記情報分電盤に前記複数個の光コンセントを接続する工程と、
加入者通信網に接続されている外部光ファイバーケーブルを前記ユニット住宅へ引き込んで前記情報分電盤に接続する工程と、を実施することを特徴とする光ファイバーケーブル敷設方法。
【請求項２】
請求項１に記載の光ファイバーケーブル敷設方法であって、
施工終了後、前記情報分電盤と前記光コンセントとの接続線を一旦外し、前記情報分電盤接続用の一方の光コンセントに光パワーメータを接続し、該当する側の住宅ユニットの光コンセントから、標準光源等を用いて光を入射して、前記光パワーメータで受光パワーを測定することで、前記光コンセントに接続される端末接続用のアダプタに必要な最小受光感度を満足することを確認すると共に、もう一方の光コンセントについても同様の確認を行った後、前記情報分電盤と情報分電盤接続用の前記光コンセントとを前記接続線で再度接続する検査工程を、さらに実施することを特徴とする光ファイバーケーブル敷設方法。
【発明の詳細な説明】
【技術分野】
【０００１】
本発明は、住宅ユニットを組み合わせて構成されるユニット住宅における、光ファイバーケーブル敷設方法に関する。
【背景技術】
【０００２】
工場で生産される複数の住宅ユニットを、住宅の建設場所へ運んで組み合わせ、ユニット住宅を構築するいわゆるユニット工法は、工事期間の短縮や工費の節減上、優れた工法といえる。このユニット工法に用いられる住宅ユニットは、その内部に備え付けが必要なものは、予め、この住宅ユニットが生産される工場で備え付けられる。
【０００３】
電灯や電源コンセント等への電気配線も例外ではなく、住宅ユニットが生産される工場で予め電源ケーブル等が住宅ユニット内に敷設される。そのため、このようなユニット住宅における電気配線に関して、各種の提案がなされている（例えば、特許文献１参照）。
【０００４】
ところで、住宅における情報通信手段としては、電話線や無線による通信が主流であるが、最近の情報の大容量化や高速化に対応するには情報伝送能力の面で限界が来ている。その一方で、光ファイバーによる情報通信は、高い伝送能力を有し、ギガビット（Ｇｂｐｓ）レベルの高速通信まで対応できることや、銅線である電話線等と比べて漏話や他の機器への影響が少ないことから次世代の有力な通信手段とされている。上記の光ファイバーによる情報通信によれば、例えば、動画の双方向通信や遠距離間のリアルタイムコミュニケーション等が可能となり、情報通信における利便性が大幅に向上する。
【特許文献１】特開平７−３１０１２号公報
【発明の開示】
【発明が解決しようとする課題】
【０００５】
しかしながら、住宅において、光ファイバーによる情報通信を行うためには、光ファイバーの幹線から建物内のＯＮＵ、情報分電盤等に引き込まれた光ファイバーケーブルを建物内の各部屋等に分配施工するいわゆるＦＴＴＨ（Ｆｉｂｅｒ  Ｔｏ  Ｔｈｅ  Ｈｏｍｅ）が必要である。
【０００６】
このＦＴＴＨでは、建物内に分配施工する場合、現状ではＯＮＵ、情報分電盤等から各部屋の複数の光コンセントに、光ファイバーケーブルをスター型に配線しなければならず、光ファイバーケーブルの配線や、光コンセントの組立等、現場での作業時間が多く、施工品質にも問題が生じることが多かった。
【０００７】
特に、ユニット工法においては、電気配線は、上述したように、ユニット毎に電源コンセントまでの電源ケーブル等の敷設は工場で完了しており、現場作業は極力低減されている。しかし、光ファイバーケーブル等を用いる情報配線は、ユニット工法以外の工法と同様、現場作業で行われているのが現状である。
【０００８】
具体的には、例えば、ある電工メーカのシステムでは、マルチメディアポートと称する情報分電盤から、各部屋の情報コンセントに直接配線して接続する方式であり、現場での配線引き回し、コンセントの組立等の作業が必要となり、誤配線、配線不良等の問題が生じる可能性があった。このため、ユニット工法のメリットが生かされていなかった。
【０００９】
そこで、この発明は、このような状況に対処するためになされたものであって、ユニット工法のメリットを生かすべく、光ファイバーを用いる情報通信を導入するユニット住宅において、光ファイバーケーブルの現場作業を削減することが可能な光ファイバーケーブル敷設方法を提供しようとするものである。
【課題を解決するための手段】
【００１０】
本発明の光ファイバーケーブル敷設方法は、２個以上の光コンセントを備えた住宅ユニットを２個以上組み合わせて構成されるユニット住宅において、前記ユニット住宅の外部から引き込まれる光ファイバーケーブルを中継して、前記光コンセントに分岐敷設する光ファイバーケーブル敷設方法であって、生産工場において、前記住宅ユニットの壁面の所定場所に光コンセントの取付用穴を開けると共に、分岐ボックスを前記住宅ユニットの天井に取付ける工程と、副光ファイバーケーブルを、前記住宅ユニットに取付けられている電源コンセントに敷設される電源ケーブルに併設して前記住宅ユニットに敷設する工程と、前記副光ファイバーケーブルの一方の光コネクタを前記分岐ボックスに接続し、他方の光コネクタを前記光コンセントに接続する工程と、接続した前記光コンセントを前記住宅ユニットの壁面に設けた前記取付用穴に取付ける工程と、を実施し、建設場所において、前記２個以上の住宅ユニットを結合させてユニット住宅を組み立てる工程と、前記住宅ユニットの数に対応した本数の主光ファイバーケーブルのそれぞれの一方の光コネクタを、各住宅ユニットに備えられている前記分岐ボックスにそれぞれ接続すると共に、各住宅ユニットに架け渡して敷設する工程と、前記複数本の主光ファイバーケーブルのそれぞれの他方の光コネクタを、情報分電盤接続用の複数個の光コンセントのそれぞれに接続する工程と、前記複数個の光コンセントを１個の住宅ユニットの壁面に取付ける工程と、前記複数個の光コンセントの近傍に情報分電盤を取付ける工程と、前記情報分電盤に前記複数個の光コンセントを接続する工程と、加入者通信網に接続されている外部光ファイバーケーブルを前記ユニット住宅へ引き込んで前記情報分電盤に接続する工程と、を実施することを特徴としている。
【００１１】
また、本発明の光ファイバーケーブル敷設方法は、施工終了後、前記情報分電盤と前記光コンセントとの接続線を一旦外し、前記情報分電盤接続用の一方の光コンセントに光パワーメータを接続し、該当する側の住宅ユニットの光コンセントから、標準光源等を用いて光を入射して、前記光パワーメータで受光パワーを測定することで、前記光コンセントに接続される端末接続用のアダプタに必要な最小受光感度を満足することを確認すると共に、もう一方の光コンセントについても同様の確認を行った後、前記情報分電盤と情報分電盤接続用の前記光コンセントとを前記接続線で再度接続する検査工程を、さらに実施することを特徴としている。
【発明の効果】
【００２２】
本発明によれば、住宅ユニットを組み合わせて構成されるユニット住宅において、住宅ユニットに分岐ボックスが備えられており、このユニット住宅における主光ファイバーケーブルの敷設が、情報分電盤から分岐ボックスへの主光ファイバーケーブルの敷設と、分岐ボックスから光コンセントへの副光ファイバーケーブルの敷設の２つに分けられる。又、分岐ボックスと光コンセントは、共に、同一の住宅ユニットに備えられている。そこで、主光ファイバーケーブルの敷設と副光ファイバーケーブルの敷設の２つの光ファイバーケーブルの敷設を、切り離して行うことができると共に、分岐ボックスから光コンセントへの副光ファイバーケーブルの敷設は、住宅ユニットを生産する工場等で、事前に行うことができる。
【００２３】
従って、ユニット住宅の構築としては、副光ファイバーケーブルが敷設されている住宅ユニットを、ユニット住宅の建設場所へ運んで組立を行った後に、情報分電盤から分岐ボックスへの主光ファイバーケーブルの敷設を行えばよく、光ファイバーケーブルの現場作業を削減することができると共に、ユニット住宅の施工品質の向上を図ることができる。又、副光ファイバーケーブルの敷設を住宅ユニットの生産工場で行うことができ、誤配線や不良配線等の施工不良を容易に抑制することができる。
【００２４】
又、住宅ユニットにおける副光ファイバーケーブルの敷設を、住宅ユニットに備えられた電源コンセントへ敷設される電源ケーブルに併設して行うことができるので、副光ファイバーケーブルの敷設を簡便に行うことができると共に、施工品質の向上を図ることができる。
【発明を実施するための最良の形態】
【００２６】
以下、本発明の実施の形態における光ファイバーケーブル敷設方法が適用される光ファイバーケーブル敷設システムについて、図面を参照しながら詳しく説明する。本実施の形態における光ファイバーケーブル敷設システムは、ユニット住宅におけるＬＡＮシステムを構成するために用いられる。図１は、本実施の形態における光ファイバーケーブル敷設システムを採用したユニット住宅の説明用斜視図、図２は、本実施の形態における光ファイバーケーブル敷設システムのブロック図である。
【００２７】
図１、図２において、ユニット住宅１は、２個の直方体状の住宅ユニット２を、これらの住宅ユニット２の長手方向を左右方向にして、左右に並べて結合させて構成されている。各住宅ユニット２の天井には、光スターカプラ５が収納されている分岐ボックス４が取付られていると共に、各住宅ユニット２の手前の壁面を除く残り３方向の壁面に、光コンセント６が取付られている。そして、これらの分岐ボックス４と各光コンセント６との間に、副光ファイバーケーブル８が敷設されている。
【００２８】
又、この光コンセント６の横に隣接して、図示されていない電源コンセントが取付られ、電源配電盤からこの電源コンセントへ、図示されていない電源ケーブルが敷設されており、副光ファイバーケーブル８は、この電源ケーブルに併設して敷設されている。又、左側の住宅ユニット２における手前の壁面に、後述する情報分電盤３接続用の光コンセント６が２個取付られており、これらの情報分電盤３接続用の光コンセント６と各住宅ユニット２の分岐ボックス４に収納されている光スターカプラ５との間に、それぞれ、主光ファイバーケーブル７が敷設されている。
【００２９】
この左側に配置された住宅ユニット２の手前の壁面に取付けられた光コンセント６の下方には、情報分電盤３が取付けられ、この情報分電盤３は、情報分電盤３接続用の光コンセント６に接続されている。又、情報分電盤３にはユニット住宅１の外部から外部光ファイバーケーブル９が引き込まれて接続されている。尚、図２では、２つの分岐ボックス４の内の、一つの分岐ボックス４に接続される一部の光コンセント６の記載が省略されている。
【００３０】
上記の主光ファイバーケーブル７及び副光ファイバーケーブル８に用いられる光ファイバーケーブルは、通常、２芯の光ファイバーケーブルが用いられる。これらのケーブルを構成する光ファイバーの材質としては、例えば、石英系光ファイバーやプラスチック光ファイバー（ＰＯＦ）等が用いられるが、分岐部分における折曲特性の点でプラスチック光ファイバーを用いるのが好ましい。
【００３１】
このプラスチック光ファイバーとしては、断面構造がＧＩ型（屈折率分布型）又は多層型で、光ファイバーのコア及びクラッドの素材としては、フッ素系、アクリル系、ポリカーボネート系、ノルボルネン系、環状オレフィン系等のポリマーを用いたものが使用される。
【００３２】
２個の住宅ユニット２のそれぞれに備えられる光スターカプラ５は、入力端子と出力端子を備えており、これらの入力端子と出力端子は、それぞれ、住宅ユニット２に備えられている光コンセント６の出力端子及び入力端子、及び、情報分電盤３接続用の光コンセント６を介して情報分電盤３の後述するＥ／Ｏ部１５及びＯ／Ｅ部１６と接続される。この内、光コンセント６の出力端子及び入力端子との接続には、上述したように、副光ファイバーケーブル８が用いられる。又、情報分電盤３のＥ／Ｏ部１５及びＯ／Ｅ部１６が接続される光コンセントである情報分電盤３接続用の光コンセント６との接続には、上述したように、主光ファイバーケーブル７が用いられる。
【００３３】
上記の光スターカプラ５に用いられる光カプラは、受動型で、例えば、ミキシングロッド型やバンドルファイバー型等が用いられる。この光スターカプラ５は、図２に示すように，光スターカプラ５に接続される全ての光ファイバーケーブルが相互に中継接続されるように構成されており、塩ビ製の分岐ボックス４に収納されている。
【００３４】
２個の住宅ユニット２のそれぞれに備えられる光コンセント６は、住宅ユニット２内で使用されるパソコン等の端末を接続するためのものである。この光コンセント６としては、例えば、ＳＣコネクタ、ＭＵコネクタ、ＳＭＩコネクタ等が用いられる。この光コンセント６には、光スターカプラ５へ光信号を送り込む入力端子と、光スターカプラ５からの光信号を取り出す出力端子とが備えられている。
【００３５】
又、２個の住宅ユニット２の内、左側の住宅ユニット２に備えられる情報分電盤３は、光ファイバーを用いた加入者通信網へ外部光ファイバーケーブル９を介して接続する機能を備えたＯＮＵ１０、経路選択機能を有するルータ１１、情報分電盤３の制御機能を担うアダプタ部１２で構成されている。このアダプタ部１２は、２つ内蔵されており、各アダプタ部１２は、接続インターフェイス部１３、ＬＡＮのアクセス制御を行うアクセス制御部１４、電気信号を光信号に変換して光信号を出力するＥ／Ｏ部１５、及び、光信号を入力して光信号を電気信号に変換するＯ／Ｅ部１６で構成されている。又、上記のアクセス制御部１４におけるＬＡＮのアクセス制御の方式としては、ＣＳＭＡ／ＣＤ、トークンリンク等の汎用のプロトコル方式が用いられる。
【００３６】
上記の光ファイバーケーブル敷設システムを使用する場合、上述したように、住宅ユニット２の壁面に取付られている光コンセント６に、パソコン等の端末１８を接続して使用するが、この接続は、アダプタ１７を介して行われる。このアダプタ１７は、単独で構成されているもののほか、パソコン等の端末１８に内蔵されているものもある。これらのアダプタ１７は、情報分電盤３を構成するアダプタ部１２と同様に構成されており、アダプタ部１２と同様の機能を備えている。
【００３７】
次に、上記の光ファイバーケーブル敷設システムを、上記のユニット住宅１に構築する手順（光ファイバーケーブル敷設方法）について説明する。図３〜図５は、この手順について説明した説明図である。図３において、住宅ユニット２の生産工場において、住宅ユニット２の壁面の所定場所に、光コンセント６取付用の穴を開けると共に、４分岐の機能を備えた光スターカプラ５が収納されている分岐ボックス４を、住宅ユニット２の天井に取付ける。そして、副光ファイバーケーブル８として、２芯構造のアクリル系プラスチック光ファイバーケーブル（ＰＯＦ）を３本用意し、このＰＯＦの両端に、光コネクタを取付け、端面はホットプレートにより鏡状に仕上げる。
【００３８】
この３本のＰＯＦを、住宅ユニット２に取付けられている図示されていない電源コンセントに敷設される電源ケーブルに併設して住宅ユニット２に敷設する。そして、このＰＯＦの一方の光コネクタを、分岐ボックス４内の光スターカプラ５の入力端子および出力端子に接続し、他方の光コネクタを、光コンセント６の出力端子および入力端子に接続して、この光コンセント６を住宅ユニット２の壁面に設けた取付用穴に取付ける。又、住宅ユニット２の生産工場で、主光ファイバーケーブル７として、予め、分岐ボックス４内の光スターカプラ５と情報分電盤３接続用の光コンセント６とを接続する両端を光コネクタ加工されたＰＯＦを２本用意する。
【００３９】
図４において、上記のようにして光コンセント６、及び、光スターカプラ５が収納された分岐ボックス４が取付けられると共に、副光ファイバーケーブル８が敷設されたユニット住宅１を２個、ユニット住宅１の建設場所に運搬し、これらの住宅ユニット２の長手方向を左右方向にして、左右に並べて結合させて配設し、ユニット住宅１を建設する。そして、図５において、２本の主光ファイバーケーブル７を、それぞれ、その一方の光コネクタを、左側に配設されている住宅ユニット２に備えられている分岐ボックス４内の光スターカプラ５の入力端子及び出力端子と、右側に配設されている住宅ユニット２に備えられている分岐ボックス４内の光スターカプラ５の入力端子及び出力端子に接続する。
【００４０】
そして、この２本の主光ファイバーケーブル７を、それぞれ、左側に配設されている住宅ユニット２と、左側に配設されている住宅ユニット２から右側に配設されている住宅ユニット２にかけて敷設すると共に、２本の主光ファイバーケーブル７の他方の光コネクタを、情報分電盤３接続用の２個の光コンセント６のそれぞれに接続する。そして、この情報分電盤３接続用の２個の光コンセント６を、共に、左側に配設されている住宅ユニット２の手前の壁面に取付ける。
【００４１】
又、これらの２個の情報分電盤３接続用の光コンセント６の下方に、情報分電盤３を取付ける。そして、情報分電盤３の２個のアダプタ部１２にそれぞれ備えられているＥ／Ｏ部１５及びＯ／Ｅ部１６と、情報分電盤３接続用の２個の光コンセント６とをそれぞれ接続する。又、加入者通信網に接続されている外部光ファイバーケーブル９をユニット住宅１へ引き込んで、情報分電盤３に接続する。
【００４２】
上記の施工が終了すると、一旦、情報分電盤３のＥ／Ｏ部１５及びＯ／Ｅ部１６から、情報分電盤３の接続用の光コンセント６との接続線を、これらの光コンセント６から外す。そして、情報分電盤３接続用の一方の光コンセント６に光パワーメータを接続し、該当する側の住宅ユニット２の光コンセント６から、標準光源等を用いて光を入射して、上記のパワーメータで受光パワーを測定し、光コンセント６に接続されるパソコン等の端末１８接続用のアダプタ１７に必要な最小受光感度を満足することを確認する。もう一方についても、同様に行った後、情報分電盤３のＥ／Ｏ部１５及びＯ／Ｅ部１６と、情報分電盤３の接続用の光コンセント６との接続を元に戻して、施工及び検査を完了する。
【００４３】
上記の光ファイバーケーブル敷設システムによれば、住宅ユニット２を組み合わせて構成されるユニット住宅１において、住宅ユニット２に光スターカプラ５を収納している分岐ボックス４が備えられることによって、情報分電盤３から光コンセントへの光ファイバーケーブルの敷設が、情報分電盤３接続用の光コンセント６から分岐ボックス４への主光ファイバーケーブル７の敷設と、分岐ボックス４から光コンセント６への副光ファイバーケーブル８の敷設の２つに分けられる。又、分岐ボックス４と光コンセント６は、共に、同一の住宅ユニット２に備えられている。そこで、主光ファイバーケーブル７の敷設と副光ファイバーケーブル８の敷設の２つの光ファイバーケーブルの敷設を、切り離して行うことができると共に、分岐ボックス４から光コンセント６への光ファイバーケーブルの敷設は、住宅ユニット２を生産する工場等で、事前に行うことができる。
【００４４】
従って、ユニット住宅１の構築としては、副光ファイバーケーブル８が敷設されている住宅ユニット２を、ユニット住宅１の建設場所へ運んで組立を行い、組立終了後に、情報分電盤３接続用の光コンセント６から分岐ボックス４への主光ファイバーケーブル７の敷設を行えばよく、光ファイバーケーブルの現場作業を削減することができると共に、ユニット住宅１の施工品質の向上を図ることができる。又、副光ファイバーケーブル８の敷設を住宅ユニット２の生産工場で行うことができ、誤配線や不良配線等の施工不良を容易に抑制することができる。
【００４５】
又、住宅ユニット２における副光ファイバーケーブル８の敷設を、住宅ユニット２に備えられる電源コンセントへ敷設される電源ケーブルに併設して行うことができるので、副光ファイバーケーブル８の敷設を簡便に行うことができると共に、施工品質の向上を図ることができる。
【００４６】
又、住宅ユニット２に、受動型の光スターカプラである光スターカプラ５を備えており、能動型の光カプラを用いる場合に比べて、住宅ユニット２におけるトラブルの発生を抑制することができると共に、光スターカプラ５の電源を不要とすることができ、住宅ユニット２のコスト削減を図ることができる。
【図面の簡単な説明】
【００４７】
【図１】本実施の形態における光ファイバーケーブル敷設システムを採用したユニット住宅の説明用斜視図である。
【図２】本実施の形態における光ファイバーケーブル敷設システムのブロック図である。
【図３】本実施の形態における光ファイバーケーブル敷設システムをユニット住宅に構築する手順の説明図（その１）である。
【図４】本実施の形態における光ファイバーケーブル敷設システムをユニット住宅に構築する手順の説明図（その２）である。
【図５】本実施の形態における光ファイバーケーブル敷設システムをユニット住宅に構築する手順の説明図（その３）である。
【符号の説明】
【００４８】
１  ユニット住宅
２  住宅ユニット
３  情報分電盤
４  分岐ボックス
５  光スターカプラ
６  光コンセント
７  主光ファイバーケーブル
８  副光ファイバーケーブル
９  外部光ファイバーケーブル
１０  ＯＮＵ
１１  ルータ
１２  アダプタ部
１３  インターフェイス部
１４  アクセス制御部
１５  Ｅ／Ｏ部
１６  Ｏ／Ｅ部
１７  アダプタ
１８  端末機器
【図１】
0004669795.tif 000002
【図２】
0004669795.tif 000003
【図３】
0004669795.tif 000004
【図４】
0004669795.tif 000005
【図５】
0004669795.tif 000006